(57)【特許請求の範囲】
【請求項１】
物体側から順に、正パワーの第１レンズ群と、正パワーの第２レンズ群と、からなり、
前記第１レンズ群が、物体側から順に、負パワーの第１レンズと、負パワーの第２レンズと、負パワーの第３レンズと、負パワーの第４レンズと、を少なくとも有し、
近距離物体へのフォーカシングに際して、前記第１レンズ群が像面に対して位置固定であり、前記第２レンズ群が物体側へ移動し、
以下の条件式（１）〜（３）を満足し、前記第１レンズ群内に以下の条件式（４）〜（６）を満足する接合レンズを含むことを特徴とする撮像レンズ；
０．２≦Φ１／Φ＜０．５  …（１）
０．２＜Φ２／Φ＜０．３  …（２）
０．６＜Φ１／Φ２＜１．７  …（３）
−１．５＜Ｒ１ａ／ｆ＜０  …（４）
−０．３＜ｎＬ１ａ１−ｎＬ１ａ２＜−０．２  …（５）
０＜νＬ１ａ１−νＬ１ａ２＜１０  …（６）
ただし、
Φ１：第１レンズ群のパワー、
Φ２：第２レンズ群のパワー、
Φ：全系のパワー、
Ｒ１ａ：接合面の曲率半径、
ｆ：全系の焦点距離、
ｎＬ１ａ１：条件式（４）を満足する接合面を持つ正レンズのｄ線に関する屈折率、
ｎＬ１ａ２：条件式（４）を満足する接合面を持つ負レンズのｄ線に関する屈折率、
νＬ１ａ１：条件式（４）を満足する接合面を持つ正レンズのｄ線に関するアッベ数、
νＬ１ａ２：条件式（４）を満足する接合面を持つ負レンズのｄ線に関するアッベ数、
である。
【請求項２】
物体側から順に、正パワーの第１レンズ群と、正パワーの第２レンズ群と、からなり、
前記第１レンズ群が、物体側から順に、負パワーの第１レンズと、負パワーの第２レンズと、負パワーの第３レンズと、負パワーの第４レンズと、を少なくとも有し、
近距離物体へのフォーカシングに際して、前記第１レンズ群が像面に対して位置固定であり、前記第２レンズ群が物体側へ移動し、
以下の条件式（１）〜（３）を満足し、前記第１レンズ群内に以下の条件式（７）〜（９）を満足する接合レンズを含むことを特徴とする撮像レンズ；
０．２≦Φ１／Φ＜０．５  …（１）
０．２＜Φ２／Φ＜０．３  …（２）
０．６＜Φ１／Φ２＜１．７  …（３）
０＜Ｒ１ｂ／ｆ＜１．５  …（７）
−０．２５＜ｎＬ１ｂ１−ｎＬ１ｂ２＜−０．１  …（８）
−１０＜νＬ１ｂ１−νＬ１ｂ２＜１２  …（９）
ただし、
Φ１：第１レンズ群のパワー、
Φ２：第２レンズ群のパワー、
Φ：全系のパワー、
Ｒ１ｂ：接合面の曲率半径、
ｆ：全系の焦点距離、
ｎＬ１ｂ１：条件式（７）を満足する接合面を持つ正レンズのｄ線に関する屈折率、
ｎＬ１ｂ２：条件式（７）を満足する接合面を持つ負レンズのｄ線に関する屈折率、
νＬ１ｂ１：条件式（７）を満足する接合面を持つ正レンズのｄ線に関するアッベ数、
νＬ１ｂ２：条件式（７）を満足する接合面を持つ負レンズのｄ線に関するアッベ数、
である。
【請求項３】
前記第１レンズ群内に以下の条件式（４）〜（６）を満足する接合レンズを含むことを特徴とする請求項２記載の撮像レンズ；
−１．５＜Ｒ１ａ／ｆ＜０  …（４）
−０．３＜ｎＬ１ａ１−ｎＬ１ａ２＜−０．２  …（５）
０＜νＬ１ａ１−νＬ１ａ２＜１０  …（６）
ただし、
Ｒ１ａ：接合面の曲率半径、
ｆ：全系の焦点距離、
ｎＬ１ａ１：条件式（４）を満足する接合面を持つ正レンズのｄ線に関する屈折率、
ｎＬ１ａ２：条件式（４）を満足する接合面を持つ負レンズのｄ線に関する屈折率、
νＬ１ａ１：条件式（４）を満足する接合面を持つ正レンズのｄ線に関するアッベ数、
νＬ１ａ２：条件式（４）を満足する接合面を持つ負レンズのｄ線に関するアッベ数、
である。
【請求項４】
前記第１〜第４レンズのうちの少なくとも１枚が、レンズ中心部からレンズ外周部へ行くに従って負パワーの小さくなる非球面形状を有する負メニスカスレンズであることを特徴とする請求項１〜３のいずれか１項に記載の撮像レンズ。
【請求項５】
前記第２レンズ群において最も像側に位置するレンズが、少なくとも１面に非球面を有することを特徴とする請求項１〜４のいずれか１項に記載の撮像レンズ。
【請求項６】
前記第１レンズ群において前記第１〜第４レンズより像面側に接合レンズを２つ以上含み、それらを構成するレンズとして、以下の条件式（１０）及び（１１）を満足する正レンズと、以下の条件式（１０）及び（１１）を満足する負レンズと、をそれぞれ少なくとも１枚有することを特徴とする請求項１〜５のいずれか１項に記載の撮像レンズ；
（０．６４２５−θｇｆ）／νｄ＞０．００１５０  …（１０）
νｄ＜４０  …（１１）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【請求項７】
前記第２レンズ群が以下の条件式（１２）及び（１３）を満足する正レンズを少なくとも３枚有することを特徴とする請求項１〜６のいずれか１項に記載の撮像レンズ；
（０．６４２５−θｇｆ）／νｄ＜０．００１５０  …（１２）
νｄ＞３０  …（１３）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【請求項８】
請求項１〜７のいずれか１項に記載の撮像レンズと、撮像面上に形成された光学像を電気的な信号に変換する撮像素子と、を備え、前記撮像素子の撮像面上に被写体の光学像が形成されるように前記撮像レンズが設けられていることを特徴とする撮像光学装置。
【請求項９】
請求項８記載の撮像光学装置を備えることにより、被写体の静止画撮影，動画撮影のうちの少なくとも一方の機能が付加されたことを特徴とするデジタル機器。
【発明の詳細な説明】
【技術分野】
【０００１】
本発明は撮像レンズ，撮像光学装置及びデジタル機器に関するものであり、例えば、被写体の映像を撮像素子（例えば、ＣＣＤ(Charge Coupled Device)型イメージセンサー，ＣＭＯＳ(Complementary Metal-Oxide Semiconductor)型イメージセンサー等の固体撮像素子）で取り込むレンズ交換式デジタルカメラに適したコンパクトで超広角の撮像レンズと、その撮像レンズ及び撮像素子で取り込んだ被写体の映像を電気的な信号として出力する撮像光学装置と、その撮像光学装置を搭載したデジタルカメラ等の画像入力機能付きデジタル機器と、に関するものである。
【背景技術】
【０００２】
レンズ交換式デジタルカメラ用の交換レンズとして、超広角の撮像レンズが特許文献１，２で提案されている。こういった広角レンズでは、比較的長いバックフォーカスが要求される。また、レンズシフト機構をレンズバック側に配置する場合には、通常の一眼レフカメラ用の撮像レンズよりも長いバックフォーカスを確保することが必要になる。しかも、レンズシフトによる像面の変位に対応するには、イメージサークルを大きくする必要があるため、必要な画角は更に大きくなる。
【０００３】
焦点距離に対するバックフォーカスの比が大きくなる広角レンズとしては、負レンズ群が先行するレトロフォーカスタイプの広角レンズが一般的に知られている。レトロフォーカスタイプの広角レンズでは、物体側から順に負レンズ群と正レンズ群が配置されて、全体として非対称型となるため、諸収差の発生量が大きくなって収差補正が困難になる。加えて、フォーカスによる収差変動も大きくなるため、全物体距離にわたって高い光学性能を実現することも困難になる。そのため、フォーカス時の像面変動を抑えて、無限遠から至近距離にいたるまで高い結像性能を保つ技術として、フォーカス群のフローティングが一般的になっている。
【先行技術文献】
【特許文献】
【０００４】
【特許文献１】特開２０１０−１９１０７７号公報
【特許文献２】特開２０１１−１０２８６３号公報
【発明の概要】
【発明が解決しようとする課題】
【０００５】
特許文献１に記載の広角レンズでは、無限遠から至近距離にいたるまで高い結像性能を保っているが、フローティングを行うために構成が複雑になっている。また、特許文献２に記載の広角レンズでは、高画角まで高い結像性能を有しているが、バックフォーカスを更に長くしようとすると、高画角まで高い結像性能を維持することが難しくなる。
【０００６】
本発明はこのような状況に鑑みてなされたものであって、その目的は、焦点距離に対するバックフォーカスの比が大きい超広角レンズでありながら、フォーカシングによる光学性能変動が抑えられ、高画角まで諸収差が良好に補正された撮像レンズ，それを備えた撮像光学装置及びデジタル機器を提供することにある。
【課題を解決するための手段】
【０００７】
上記目的を達成するために、第１の発明の撮像レンズは、物体側から順に、正パワーの第１レンズ群と、正パワーの第２レンズ群と、からなり、
前記第１レンズ群が、物体側から順に、負パワーの第１レンズと、負パワーの第２レンズと、負パワーの第３レンズと、負パワーの第４レンズと、を少なくとも有し、
近距離物体へのフォーカシングに際して、前記第１レンズ群が像面に対して位置固定であり、前記第２レンズ群が物体側へ移動し、
以下の条件式（１）〜（３）を満足し、前記第１レンズ群内に以下の条件式（４）〜（６）を満足する接合レンズを含むことを特徴とする。
０．２≦Φ１／Φ＜０．５  …（１）
０．２＜Φ２／Φ＜０．３  …（２）
０．６＜Φ１／Φ２＜１．７  …（３）
−１．５＜Ｒ１ａ／ｆ＜０  …（４）
−０．３＜ｎＬ１ａ１−ｎＬ１ａ２＜−０．２  …（５）
０＜νＬ１ａ１−νＬ１ａ２＜１０  …（６）
ただし、
Φ１：第１レンズ群のパワー、
Φ２：第２レンズ群のパワー、
Φ：全系のパワー、
Ｒ１ａ：接合面の曲率半径、
ｆ：全系の焦点距離、
ｎＬ１ａ１：条件式（４）を満足する接合面を持つ正レンズのｄ線に関する屈折率、
ｎＬ１ａ２：条件式（４）を満足する接合面を持つ負レンズのｄ線に関する屈折率、
νＬ１ａ１：条件式（４）を満足する接合面を持つ正レンズのｄ線に関するアッベ数、
νＬ１ａ２：条件式（４）を満足する接合面を持つ負レンズのｄ線に関するアッベ数、
である。
第２の発明の撮像レンズは、物体側から順に、正パワーの第１レンズ群と、正パワーの第２レンズ群と、からなり、
前記第１レンズ群が、物体側から順に、負パワーの第１レンズと、負パワーの第２レンズと、負パワーの第３レンズと、負パワーの第４レンズと、を少なくとも有し、
近距離物体へのフォーカシングに際して、前記第１レンズ群が像面に対して位置固定であり、前記第２レンズ群が物体側へ移動し、
以下の条件式（１）〜（３）を満足し、前記第１レンズ群内に以下の条件式（７）〜（９）を満足する接合レンズを含むことを特徴とする。
０．２≦Φ１／Φ＜０．５  …（１）
０．２＜Φ２／Φ＜０．３  …（２）
０．６＜Φ１／Φ２＜１．７  …（３）
０＜Ｒ１ｂ／ｆ＜１．５  …（７）
−０．２５＜ｎＬ１ｂ１−ｎＬ１ｂ２＜−０．１  …（８）
−１０＜νＬ１ｂ１−νＬ１ｂ２＜１２  …（９）
ただし、
Φ１：第１レンズ群のパワー、
Φ２：第２レンズ群のパワー、
Φ：全系のパワー、
Ｒ１ｂ：接合面の曲率半径、
ｆ：全系の焦点距離、
ｎＬ１ｂ１：条件式（７）を満足する接合面を持つ正レンズのｄ線に関する屈折率、
ｎＬ１ｂ２：条件式（７）を満足する接合面を持つ負レンズのｄ線に関する屈折率、
νＬ１ｂ１：条件式（７）を満足する接合面を持つ正レンズのｄ線に関するアッベ数、
νＬ１ｂ２：条件式（７）を満足する接合面を持つ負レンズのｄ線に関するアッベ数、
である。
第３の発明の撮像レンズは、上記第２の発明において、前記第１レンズ群内に以下の条件式（４）〜（６）を満足する接合レンズを含むことを特徴とする。
−１．５＜Ｒ１ａ／ｆ＜０  …（４）
−０．３＜ｎＬ１ａ１−ｎＬ１ａ２＜−０．２  …（５）
０＜νＬ１ａ１−νＬ１ａ２＜１０  …（６）
ただし、
Ｒ１ａ：接合面の曲率半径、
ｆ：全系の焦点距離、
ｎＬ１ａ１：条件式（４）を満足する接合面を持つ正レンズのｄ線に関する屈折率、
ｎＬ１ａ２：条件式（４）を満足する接合面を持つ負レンズのｄ線に関する屈折率、
νＬ１ａ１：条件式（４）を満足する接合面を持つ正レンズのｄ線に関するアッベ数、
νＬ１ａ２：条件式（４）を満足する接合面を持つ負レンズのｄ線に関するアッベ数、
である。
【０００８】
第４の発明の撮像レンズは、上記第１〜第３のいずれか１つの発明において、前記第１〜第４レンズのうちの少なくとも１枚が、レンズ中心部からレンズ外周部へ行くに従って負パワーの小さくなる非球面形状を有する負メニスカスレンズであることを特徴とする。
【０００９】
第５の発明の撮像レンズは、上記第１〜第４のいずれか１つの発明において、前記第２レンズ群において最も像側に位置するレンズが、少なくとも１面に非球面を有することを特徴とする。
【００１２】
第６の発明の撮像レンズは、上記第１〜第５のいずれか１つの発明において、前記第１レンズ群において前記第１〜第４レンズより像面側に接合レンズを２つ以上含み、それらを構成するレンズとして、以下の条件式（１０）及び（１１）を満足する正レンズと、以下の条件式（１０）及び（１１）を満足する負レンズと、をそれぞれ少なくとも１枚有することを特徴とする。
（０．６４２５−θｇｆ）／νｄ＞０．００１５０  …（１０）
νｄ＜４０  …（１１）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００１３】
第７の発明の撮像レンズは、上記第１〜第６のいずれか１つの発明において、前記第２レンズ群が以下の条件式（１２）及び（１３）を満足する正レンズを少なくとも３枚有することを特徴とする。
（０．６４２５−θｇｆ）／νｄ＜０．００１５０  …（１２）
νｄ＞３０  …（１３）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００１４】
第８の発明の撮像光学装置は、上記第１〜第７のいずれか１つの発明に係る撮像レンズと、撮像面上に形成された光学像を電気的な信号に変換する撮像素子と、を備え、前記撮像素子の撮像面上に被写体の光学像が形成されるように前記撮像レンズが設けられていることを特徴とする。
【００１５】
第９の発明のデジタル機器は、上記第８の発明に係る撮像光学装置を備えることにより、被写体の静止画撮影，動画撮影のうちの少なくとも一方の機能が付加されたことを特徴とする。
【発明の効果】
【００１６】
本発明によれば、焦点距離ｆに対するバックフォーカスＢＦの比が大きい（ＢＦ／ｆ≧２）超広角レンズでありながら、フォーカシングによる光学性能変動が抑えられ、高画角まで諸収差が良好に補正された撮像レンズ及び撮像光学装置を実現することができる。その撮像レンズ又は撮像光学装置をデジタル機器（例えばデジタルカメラ）に用いることによって、デジタル機器に対して高性能の画像入力機能をコンパクトに付加することが可能となる。
【図面の簡単な説明】
【００１７】
【図１】第１の実施の形態（実施例１）のレンズ構成図。
【図２】第２の実施の形態（実施例２）のレンズ構成図。
【図３】第３の実施の形態（実施例３）のレンズ構成図。
【図４】第４の実施の形態（実施例４）のレンズ構成図。
【図５】実施例１の縦収差図。
【図６】実施例２の縦収差図。
【図７】実施例３の縦収差図。
【図８】実施例４の縦収差図。
【図９】実施例１の横収差図。
【図１０】実施例２の横収差図。
【図１１】実施例３の横収差図。
【図１２】実施例４の横収差図。
【図１３】撮像光学装置を搭載したデジタル機器の概略構成例を示す模式図。
【発明を実施するための形態】
【００１８】
以下、本発明の実施の形態に係る撮像レンズ，撮像光学装置及びデジタル機器を説明する。本発明の実施の形態に係る撮像レンズは、物体側から順に、正パワーの第１レンズ群と、正パワーの第２レンズ群と、からなり（パワー：焦点距離の逆数で定義される量）、前記第１レンズ群が、物体側から順に、負パワーの第１レンズと、負パワーの第２レンズと、負パワーの第３レンズと、負パワーの第４レンズと、を少なくとも有し、近距離物体へのフォーカシングに際して、前記第１レンズ群が像面に対して位置固定であり、前記第２レンズ群が物体側へ移動する構成になっている。そして、以下の条件式（１）〜（３）を満足することを特徴としている。
０．２≦Φ１／Φ＜０．５  …（１）
０．２＜Φ２／Φ＜０．３  …（２）
０．６＜Φ１／Φ２＜１．７  …（３）
ただし、
Φ１：第１レンズ群のパワー、
Φ２：第２レンズ群のパワー、
Φ：全系のパワー、
である。
【００１９】
全系の焦点距離ｆに対するバックフォーカスＢＦの比ＢＦ／ｆが大きくなるレトロフォーカスタイプの広角レンズにおいて、その比を大きくするためには、先行する負レンズ群の負のパワーを強くして軸上光束の直径を広げる必要がある。また、強い負のパワーで広げられた光束を集光させ、負レンズ群で発生した大きな負の歪曲収差を補正するために、負レンズ群に続き強い正のパワーを持ったレンズ群を配置する必要がある。上記第１レンズ群は、物体側から順に負負負負のパワーを有する４枚のレンズを含んでおり、その４枚のレンズを負レンズ群として、負正のパワー配置のレトロフォーカスタイプを構成している。
【００２０】
条件式（１）は、レトロフォーカスタイプのパワー配置の観点から、第１レンズ群のパワーに関する好ましい条件範囲を規定している。条件式（１）の上限を上回ると、第１レンズ群において先行する負レンズ群の負のパワーが弱くなり、焦点距離に対するバックフォーカスの比ＢＦ／ｆが小さくなってしまう。条件式（１）の下限を下回ると、第１レンズ群において先行する負レンズ群の負のパワーが強くなり、負レンズ群で発生した負の歪曲収差等を補正するのが困難になる。また、続いて配置される正レンズ群の正のパワーを強くする必要があるため、全体としての非対称性が増長し、コマ収差，像面湾曲等の補正が困難になる。したがって、条件式（１）を満たすことにより、長いバックフォーカスの確保と収差性能の向上とをバランス良く達成することが可能になる。
【００２１】
条件式（２）は、レトロフォーカスタイプのパワー配置の観点から、第２レンズ群のパワーに関する好ましい条件範囲を規定している。条件式（２）の上限を上回ると、第２レンズ群内の正レンズのパワーが強くなるが、その正レンズとして高屈折率材料のレンズを用いると、色収差の補正が困難になる。色収差を良好に補正できる正の異常部分分散性材料のレンズを用いた場合には、所望のパワーを得るためにレンズ面の曲率を強くしなければならず、結果として、球面収差や像面湾曲が発生しやすくなる。条件式（２）の下限を下回ると、フォーカス時の移動量が増えてしまい、フォーカシングのために第２レンズ群が移動する際、第２レンズ群を通過する軸外光線高さが大きく変動することになる。その結果、フォーカシングによる像面湾曲，コマ収差等の変動を抑えることが困難になる。したがって、条件式（２）を満たすことにより、長いバックフォーカスの確保しながらフォーカシングによる光学性能変動を抑えて、高画角まで諸収差を良好に補正することが可能になる。
【００２２】
条件式（３）は、レトロフォーカスタイプのパワー配置の観点から、第１レンズ群と第２レンズ群とのパワー比の好ましい範囲を規定している。条件式（３）の上限を上回ると、第１レンズ群において先行する負レンズ群の負のパワーが弱くなり、焦点距離に対するバックフォーカスの比ＢＦ／ｆが小さくなってしまう。また、第２レンズ群のパワーが弱くなることでフォーカス時の移動量が増えてしまい、フォーカシングのために第２レンズ群が移動する際、第２レンズ群を通過する軸外光線高さが大きく変動することになる。その結果、フォーカシングによる像面湾曲，コマ収差等の変動を抑えることが困難になる。
【００２３】
条件式（３）の下限を下回ると、第１レンズ群において先行する負レンズ群の負のパワーが強くなり、負レンズ群で発生した負の歪曲収差等を補正するのが困難になる。また、続いて配置される正レンズ群の正のパワーを強くする必要があるため、全体としての非対称性が増長し、コマ収差，像面湾曲等の補正が困難になる。また、第２レンズ群内の正レンズのパワーが強くなる場合、その正レンズとして高屈折率材料のレンズを用いると、色収差の補正が困難になる。色収差を良好に補正できる正の異常部分分散性材料のレンズを用いた場合には、所望のパワーを得るためにレンズ面の曲率を強くしなければならず、結果として、球面収差や像面湾曲が発生しやすくなる。
【００２４】
したがって、第１レンズ群内のレンズを物体側から順に少なくとも負負負負のパワー配置とし、条件式（１）〜（３）を満たす構成とすることにより、長いバックフォーカスの確保と収差性能の向上とをバランス良く達成することが可能になり、焦点距離に対するバックフォーカスの比ＢＦ／ｆが大きい超広角レンズでも、フォーカシングによる光学性能変動を抑えて、高画角まで諸収差を良好に補正することが可能になる。
【００２５】
つまり上記特徴的構成によると、焦点距離ｆに対するバックフォーカスＢＦの比が大きい（ＢＦ／ｆ≧２）超広角レンズでありながら、フォーカシングによる光学性能変動が抑えられ、高画角まで諸収差が良好に補正された撮像レンズ及びそれを備えた撮像光学装置を実現することができる。例えば、レンズシフト機構やレンズチルト機構に対応した超広角の単焦点レンズ（広角シフトチルトレンズ）であって、高いフォーカス性能を有する撮像レンズ及び撮像光学装置を実現することができる。
【００２６】
上記撮像レンズ又は撮像光学装置をデジタル機器（例えばデジタルカメラ）に用いることによって、デジタル機器に対して高性能の画像入力機能を軽量・コンパクトに付加することが可能となり、デジタル機器のコンパクト化，低コスト化，高性能化，高機能化等に寄与することができる。例えば、上記特徴的構成を有する撮像レンズは、デジタルカメラ用・ビデオカメラ用の交換レンズとして好適であるため、持ち運びに便利な軽量・小型の交換レンズを実現することができる。さらに、アオリ機構（レンズシフト機構，レンズチルト機構等）を搭載した超広角の交換レンズも実現可能である。上記のような効果をバランス良く得るとともに、更に高い光学性能，軽量・小型化等を達成するための条件等を以下に説明する。
【００２７】
以下の条件式（１ａ）を満足することが望ましい。
０．２≦Φ１／Φ＜０．３  …（１ａ）
この条件式（１ａ）は、前記条件式（１）が規定している条件範囲のなかでも、前記観点等に基づいた更に好ましい条件範囲を規定している。したがって、好ましくは条件式（１ａ）を満たすことにより、上記効果をより一層大きくすることができる。
【００２８】
以下の条件式（３ａ）を満足することが望ましい。
０．７＜Φ１／Φ２＜１．０  …（３ａ）
この条件式（３ａ）は、前記条件式（３）が規定している条件範囲のなかでも、前記観点等に基づいた更に好ましい条件範囲を規定している。したがって、好ましくは条件式（３ａ）を満たすことにより、上記効果をより一層大きくすることができる。
【００２９】
また、上記と同様の観点から、条件式（１ａ），条件式（２）及び条件式（３ａ）を満足することが更に望ましい。
【００３０】
前記第１〜第４レンズのうちの少なくとも１枚が、レンズ中心部からレンズ外周部へ行くに従って負パワーの小さくなる非球面形状を有する負メニスカスレンズであることが望ましい。第１レンズ群において物体側に配置される４枚の負レンズでは、光線通過位置が径方向に大きく、各像高の光束がレンズ内を通過する位置が径方向に離れている。このため、上記のような非球面を有する負メニスカスレンズを配置することによって、特に歪曲収差や湾曲収差を効果的に補正することが可能となる。
【００３１】
前記第２レンズ群において最も像側に位置するレンズが、少なくとも１面に非球面を有することが望ましい。第２レンズ群内で最も像側に配置されるレンズに非球面を用いることにより、フォーカス時の像面変動を効果的に抑えることができる。
【００３２】
前記第１レンズ群内に以下の条件式（４）〜（６）を満足する接合レンズを含むことが望ましい。
−１．５＜Ｒ１ａ／ｆ＜０  …（４）
−０．３＜ｎＬ１ａ１−ｎＬ１ａ２＜−０．２  …（５）
０＜νＬ１ａ１−νＬ１ａ２＜１０  …（６）
ただし、
Ｒ１ａ：接合面の曲率半径、
ｆ：全系の焦点距離、
ｎＬ１ａ１：条件式（４）を満足する接合面を持つ正レンズのｄ線に関する屈折率、
ｎＬ１ａ２：条件式（４）を満足する接合面を持つ負レンズのｄ線に関する屈折率、
νＬ１ａ１：条件式（４）を満足する接合面を持つ正レンズのｄ線に関するアッベ数、
νＬ１ａ２：条件式（４）を満足する接合面を持つ負レンズのｄ線に関するアッベ数、
である。
【００３３】
条件式（４）を満足する接合レンズは、物体側に凹面を向けた接合面を持つ接合レンズである。第１レンズ群内に条件式（４）〜（６）を満足する接合レンズを含む構成とすることにより、他の収差に影響を与えることなくコマ収差をコントロールし、残存コマ収差を容易に調整することが可能となる。
【００３４】
以下の条件式（４ａ）を満足することが望ましい。
−１．０＜Ｒ１ａ／ｆ＜−０．５  …（４ａ）
この条件式（４ａ）は、前記条件式（４）が規定している条件範囲のなかでも、前記観点等に基づいた更に好ましい条件範囲を規定している。したがって、好ましくは条件式（４ａ）を満たすことにより、上記効果をより一層大きくすることができる。
【００３５】
以下の条件式（６ａ）を満足することが望ましい。
０＜νＬ１ａ１−νＬ１ａ２＜５  …（６ａ）
この条件式（６ａ）は、前記条件式（６）が規定している条件範囲のなかでも、前記観点等に基づいた更に好ましい条件範囲を規定している。したがって、好ましくは条件式（６ａ）を満たすことにより、上記効果をより一層大きくすることができる。
【００３６】
また、上記と同様の観点から、条件式（４ａ），条件式（５）及び条件式（６ａ）を満足することが更に望ましい。
【００３７】
前記第１レンズ群内に以下の条件式（７）〜（９）を満足する接合レンズを含むことが望ましい。
０＜Ｒ１ｂ／ｆ＜１．５  …（７）
−０．２５＜ｎＬ１ｂ１−ｎＬ１ｂ２＜−０．１  …（８）
−１０＜νＬ１ｂ１−νＬ１ｂ２＜１２  …（９）
ただし、
Ｒ１ｂ：接合面の曲率半径、
ｆ：全系の焦点距離、
ｎＬ１ｂ１：条件式（７）を満足する接合面を持つ正レンズのｄ線に関する屈折率、
ｎＬ１ｂ２：条件式（７）を満足する接合面を持つ負レンズのｄ線に関する屈折率、
νＬ１ｂ１：条件式（７）を満足する接合面を持つ正レンズのｄ線に関するアッベ数、
νＬ１ｂ２：条件式（７）を満足する接合面を持つ負レンズのｄ線に関するアッベ数、
である。
【００３８】
条件式（７）を満足する接合レンズは、物体側に凸面を向けた接合面を持つ接合レンズである。第１レンズ群内に条件式（７）〜（９）を満足する接合レンズを含む構成とすることにより、他の収差に影響を与えることなく球面収差をコントロールし、残存球面収差を容易に調整することが可能となる。
【００３９】
以下の条件式（７ａ）を満足することが望ましい。
０．５＜Ｒ１ｂ／ｆ＜１．２  …（７ａ）
この条件式（７ａ）は、前記条件式（７）が規定している条件範囲のなかでも、前記観点等に基づいた更に好ましい条件範囲を規定している。したがって、好ましくは条件式（７ａ）を満たすことにより、上記効果をより一層大きくすることができる。
【００４０】
以下の条件式（８ａ）を満足することが望ましい。
−０．２＜ｎＬ１ｂ１−ｎＬ１ｂ２＜−０．１  …（８ａ）
この条件式（８ａ）は、前記条件式（８）が規定している条件範囲のなかでも、前記観点等に基づいた更に好ましい条件範囲を規定している。したがって、好ましくは条件式（８ａ）を満たすことにより、上記効果をより一層大きくすることができる。
【００４１】
以下の条件式（９ａ）を満足することが望ましい。
−５＜νＬ１ｂ１−νＬ１ｂ２＜５  …（９ａ）
この条件式（９ａ）は、前記条件式（９）が規定している条件範囲のなかでも、前記観点等に基づいた更に好ましい条件範囲を規定している。したがって、好ましくは条件式（９ａ）を満たすことにより、上記効果をより一層大きくすることができる。
【００４２】
また、上記と同様の観点から、条件式（７ａ），条件式（８ａ）及び条件式（９ａ）を満足することが更に望ましい。
【００４３】
前記第１レンズ群において前記第１〜第４レンズより像面側に接合レンズを２つ以上含み、それらを構成するレンズとして、以下の条件式（１０）及び（１１）を満足する正レンズと、以下の条件式（１０）及び（１１）を満足する負レンズと、をそれぞれ少なくとも１枚有することが望ましい。
（０．６４２５−θｇｆ）／νｄ＞０．００１５０  …（１０）
νｄ＜４０  …（１１）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００４４】
条件式（１０）及び（１１）は、第１レンズ群内に配置される接合レンズの部分分散比等に関する好ましい範囲を規定している。この構成によると、より一層効果的に色収差を抑えつつ他の収差も抑えることができる。
【００４５】
条件式（１０）及び（１１）を満足するレンズ材料の具体例としては、以下のような硝材が挙げられる。また、以下に記載のない硝材でも同等の光学性能を持つ場合、同様の効果が得られる。
【００４６】
光ガラス株式会社製の硝材として、Ｊ−ＬＡＳＦＨ１３，Ｊ−ＬＡＳＦＨ９，Ｊ−ＬＡＳＦＨ６，Ｊ−ＬＡＳＦ０１３，Ｊ−ＬＡＳＦ０１０，Ｊ−ＬＡＦＨ３，Ｊ−ＬＡＦ０１６，Ｊ−ＬＡＦ７，Ｊ−Ｆ８，Ｊ−Ｆ５，Ｊ−Ｆ３，Ｊ−Ｆ２，Ｊ−Ｆ１，Ｊ−ＢＡＳＦ８が挙げられる。
【００４７】
ＨＯＹＡ株式会社製の硝材として、Ｍ−ＴＡＦＤ３０７，Ｍ−ＮＢＦＤ１０，Ｅ−ＡＤＦ５０，ＴＡＦＤ５５，ＴＡＦＤ４０，ＴＡＦＤ３５，ＴＡＦＤ２５，ＮＢＦＤ１５，ＮＢＦＤ１０，ＮＢＦＤ３，ＢＡＦＤ８，Ｅ−Ｆ８，Ｅ−Ｆ５，Ｅ−Ｆ３，Ｅ−Ｆ２，Ｅ−Ｆ１が挙げられる。
【００４８】
株式会社オハラ製の硝材として、Ｓ−ＮＢＨ５３，Ｓ−ＮＢＨ５２，Ｓ−ＮＢＨ５１，Ｓ−ＮＢＨ  ８，Ｓ−ＮＢＨ  ５，Ｓ−ＬＡＨ７９，Ｓ−ＬＡＨ７１，Ｓ−ＬＡＨ６３，Ｓ−ＬＡＨ６０，Ｓ−ＬＡＭ６６，Ｓ−ＬＡＭ  ７，Ｓ−ＴＩＭ  ８，Ｓ−ＴＩＭ  ５，Ｓ−ＴＩＭ  ３，Ｓ−ＴＩＭ  ２，Ｓ−ＢＡＨ３２，Ｓ−ＢＡＨ２８が挙げられる。
【００４９】
前記第２レンズ群が以下の条件式（１２）及び（１３）を満足する正レンズを少なくとも３枚有することが望ましい。
（０．６４２５−θｇｆ）／νｄ＜０．００１５０  …（１２）
νｄ＞３０  …（１３）
ただし、
θｇｆ：レンズ材料の部分分散比、
θｇｆ＝（Ｎｇ−ＮＦ）／（ＮＦ−ＮＣ）
Ｎｇ：ｇ線に関する屈折率、
ＮＦ：Ｆ線に関する屈折率、
ＮＣ：Ｃ線に関する屈折率、
νｄ：レンズ材料のｄ線に関するアッべ数、
である。
【００５０】
条件式（１２）及び（１３）は、第２レンズ群内に配置される正レンズの部分分散比等に関する好ましい範囲を規定している。この構成によると、より一層効果的にフォーカス時の色収差の変動を抑えつつ他の収差も抑えることができる。
【００５１】
条件式（１２）及び（１３）を満足するレンズ材料の具体例としては、以下のような硝材が挙げられる。また、以下に記載のない硝材でも同等の光学性能を持つ場合、同様の効果が得られる。
【００５２】
光ガラス株式会社製の硝材として、Ｊ−ＬＡＳＦ０２１，Ｊ−ＳＦ１５，Ｊ−ＳＦ８，Ｊ−ＳＦ７，Ｊ−ＳＦ５，Ｊ−ＳＦ２，Ｊ−Ｆ１６，Ｊ−ＢＡＳＦ２，Ｊ−ＰＳＫＨ１，Ｊ−ＦＫＨ２，Ｊ−ＦＫＨ１，Ｊ−ＦＫ０１が挙げられる。
【００５３】
ＨＯＹＡ株式会社製の硝材として、Ｍ−ＦＤ８０，Ｍ−ＦＣＤ５００，Ｍ−ＦＣＤ１，ＦＣＤ１０，ＦＣＤ１０Ａ，Ｅ−ＬＡＦ７，ＦＦ５，Ｅ−ＦＤ１５，Ｅ−ＦＤ８，Ｅ−ＦＤ７，Ｅ−ＦＤ５，Ｅ−ＦＤ２，ＦＣＤ５０５，ＦＣＤ１００，ＦＣＤ１が挙げられる。
【００５４】
株式会社オハラ製の硝材として、Ｓ−ＦＴＭ１６，Ｓ−ＴＩＭ３９，Ｓ−ＴＩＭ３５，Ｓ−ＴＩＭ２８，Ｓ−ＴＩＭ２７，Ｓ−ＴＩＭ２５，Ｓ−ＴＩＭ２２，Ｓ−ＴＩＭ  １，Ｓ−ＦＰＭ２，Ｓ−ＦＰＬ５３，Ｓ−ＦＰＬ５１が挙げられる。
【００５５】
以上説明した撮像レンズは、画像入力機能付きデジタル機器（例えば、レンズ交換式デジタルカメラ）用の撮像レンズとしての使用に適しており、これを撮像素子等と組み合わせることにより、被写体の映像を光学的に取り込んで電気的な信号として出力する撮像光学装置を構成することができる。撮像光学装置は、被写体の静止画撮影や動画撮影に用いられるカメラの主たる構成要素を成す光学装置であり、例えば、物体（すなわち被写体）側から順に、物体の光学像を形成する撮像レンズと、その撮像レンズにより形成された光学像を電気的な信号に変換する撮像素子と、を備えることにより構成される。そして、撮像素子の受光面（すなわち撮像面）上に被写体の光学像が形成されるように、前述した特徴的構成を有する撮像レンズが配置されることにより、小型・低コストで高い性能を有する撮像光学装置やそれを備えたデジタル機器を実現することができる。
【００５６】
画像入力機能付きデジタル機器の例としては、デジタルカメラ，ビデオカメラ，監視カメラ，防犯カメラ，車載カメラ，テレビ電話用カメラ等のカメラが挙げられる。また、パーソナルコンピューター，携帯用デジタル機器（例えば、携帯電話，スマートフォン（高機能携帯電話），タブレット端末，モバイルコンピューター等），これらの周辺機器（スキャナー，プリンター，マウス等），その他のデジタル機器（ドライブレコーダー，防衛機器等）等に内蔵又は外付けによりカメラ機能が搭載されたものが挙げられる。これらの例から分かるように、撮像光学装置を用いることによりカメラを構成することができるだけでなく、各種機器に撮像光学装置を搭載することによりカメラ機能を付加することが可能である。例えば、カメラ付き携帯電話等の画像入力機能付きデジタル機器を構成することが可能である。
【００５７】
図１３に、画像入力機能付きデジタル機器の一例として、デジタル機器ＤＵの概略構成例を模式的断面で示す。図１３に示すデジタル機器ＤＵに搭載されている撮像光学装置ＬＵは、物体（すなわち被写体）側から順に、物体の光学像（像面）ＩＭを形成する撮像レンズＬＮ（ＡＸ：光軸）と、撮像レンズＬＮにより受光面（撮像面）ＳＳ上に形成された光学像ＩＭを電気的な信号に変換する撮像素子ＳＲと、を備えており、必要に応じて平行平面板（例えば、撮像素子ＳＲのカバーガラス；必要に応じて配置される光学的ローパスフィルター，赤外カットフィルター等の光学フィルター等に相当する。）も配置される。この撮像光学装置ＬＵで画像入力機能付きデジタル機器ＤＵを構成する場合、通常そのボディ内部に撮像光学装置ＬＵを配置することになるが、カメラ機能を実現する際には必要に応じた形態を採用することが可能である。例えば、ユニット化した撮像光学装置ＬＵをデジタル機器ＤＵの本体に対して着脱可能又は回動可能に構成することが可能である。
【００５８】
撮像レンズＬＮは、正正の２群構成を有する超広角の単焦点レンズであり、第１レンズ群の位置を固定した状態で第２レンズ群を光軸ＡＸに沿って物体側に移動させることにより、近距離物体へのフォーカシングを行い、撮像素子ＳＲの受光面ＳＳ上に光学像ＩＭを形成する構成になっている。撮像素子ＳＲとしては、例えば複数の画素を有するＣＣＤ型イメージセンサー，ＣＭＯＳ型イメージセンサー等の固体撮像素子が用いられる。撮像レンズＬＮは、撮像素子ＳＲの光電変換部である受光面ＳＳ上に被写体の光学像ＩＭが形成されるように設けられているので、撮像レンズＬＮによって形成された光学像ＩＭは、撮像素子ＳＲによって電気的な信号に変換される。
【００５９】
デジタル機器ＤＵは、撮像光学装置ＬＵの他に、信号処理部１，制御部２，メモリー３，操作部４，表示部５等を備えている。撮像素子ＳＲで生成した信号は、信号処理部１で所定のデジタル画像処理や画像圧縮処理等が必要に応じて施され、デジタル映像信号としてメモリー３（半導体メモリー，光ディスク等）に記録されたり、場合によってはケーブルを介したり赤外線信号等に変換されたりして他の機器に伝送される（例えば携帯電話の通信機能）。制御部２はマイクロコンピューターからなっており、撮影機能（静止画撮影機能，動画撮影機能等），画像再生機能等の機能の制御；フォーカシング，手ぶれ補正等のためのレンズ移動機構の制御等を集中的に行う。例えば、被写体の静止画撮影，動画撮影のうちの少なくとも一方を行うように、制御部２により撮像光学装置ＬＵに対する制御が行われる。表示部５は液晶モニター等のディスプレイを含む部分であり、撮像素子ＳＲによって変換された画像信号あるいはメモリー３に記録されている画像情報を用いて画像表示を行う。操作部４は、操作ボタン（例えばレリーズボタン），操作ダイヤル（例えば撮影モードダイヤル）等の操作部材を含む部分であり、操作者が操作入力した情報を制御部２に伝達する。
【００６０】
次に、撮像レンズＬＮの第１〜第４の実施の形態を挙げて、その具体的な光学構成を更に詳しく説明する。図１〜図４は、第１〜第４の実施の形態を構成する撮像レンズＬＮにそれぞれ対応するレンズ構成図であり、第１フォーカスポジションＰＯＳ１（被写体無限遠状態）でのレンズ配置を光学断面で示している。第１〜第４の実施の形態は、物体側から順に、正パワーの第１レンズ群Ｇｒ１と、正パワーの第２レンズ群Ｇｒ２と、からなる正正の２群構成になっている。近距離物体へのフォーカシングに際して、第１レンズ群Ｇｒ１が像面ＩＭに対して位置固定であり、第２レンズ群Ｇｒ２が光軸ＡＸに沿って物体側に移動する。つまり、フォーカス群である第２レンズ群Ｇｒ２が、無限遠から近距離へのフォーカシングにおいて第１フォーカスポジションＰＯＳ１から第２フォーカスポジションＰＯＳ２（被写体近距離状態）へと、矢印ｍＦで示すように物体側へ移動する。
【００６１】
第１レンズ群Ｇｒ１は、物体側から順に、負パワーの第１レンズＬ１１と、負パワーの第２レンズＬ１２と、負パワーの第３レンズＬ１３と、負パワーの第４レンズＬ１４と、レンズＬ１５，Ｌ１６からなる接合レンズと、レンズＬ１７，Ｌ１８からなる接合レンズと、レンズ１９と、で構成されている。第３レンズＬ１３は、レンズ中心部からレンズ外周部へ行くに従って負パワーの小さくなる非球面形状を有する負メニスカスレンズであり、第２レンズ群Ｇｒ２において最も像側に位置するレンズは、少なくとも１面が非球面からなる非球面レンズである。また、第１レンズ群Ｇｒ１と第２レンズ群Ｇｒ２との間には、第２レンズ群Ｇｒ２と共にフォーカス移動する絞りＳＴが配置されている。
【００６２】
第１の実施の形態の撮像レンズＬＮ（図１）において、各レンズ群は物体側から順に以下のように構成されている。第１レンズ群Ｇｒ１は、４枚の像側に凹の負メニスカスレンズＬ１１，Ｌ１２，Ｌ１３，Ｌ１４と（第３レンズＬ１３は両面非球面レンズ）、両凸の正レンズＬ１５及び両凹の負レンズＬ１６からなる接合レンズと、像側に凹の負メニスカスレンズＬ１７及び両凸の正レンズＬ１８からなる接合レンズと、物体側に凸の正メニスカスレンズＬ１９と、で構成されている。第２レンズ群Ｇｒ２は、両凸の正レンズＬ２１と、両凹の負レンズＬ２２及び両凸の正レンズＬ２３からなる接合レンズと、物体側に凹の負メニスカスレンズＬ２４と、両凸の正レンズＬ２５と、像側に凹の負メニスカスレンズＬ２６及び両凸の正レンズＬ２７からなる接合レンズと、レンズＬ２８でコーティングされた物体側に凹の負メニスカスレンズＬ２９からなる複合型非球面レンズ（物体側面が非球面）と、で構成されている。
【００６３】
第２の実施の形態の撮像レンズＬＮ（図２）において、各レンズ群は物体側から順に以下のように構成されている。第１レンズ群Ｇｒ１は、４枚の像側に凹の負メニスカスレンズＬ１１，Ｌ１２，Ｌ１３，Ｌ１４と（第３レンズＬ１３は両面非球面レンズ）、両凸の正レンズＬ１５及び両凹の負レンズＬ１６からなる接合レンズと、像側に凹の負メニスカスレンズＬ１７及び両凸の正レンズＬ１８からなる接合レンズと、物体側に凸の正メニスカスレンズＬ１９と、で構成されている。第２レンズ群Ｇｒ２は、両凸の正レンズＬ２１と、両凹の負レンズＬ２２，両凸の正レンズＬ２３及び両凹の負レンズＬ２４からなる接合レンズと、両凸の正レンズＬ２５と、像側に凹の負メニスカスレンズＬ２６及び両凸の正レンズＬ２７からなる接合レンズと、レンズＬ２８でコーティングされた物体側に凹の負メニスカスレンズＬ２９からなる複合型非球面レンズ（物体側面が非球面）と、で構成されている。
【００６４】
第３の実施の形態の撮像レンズＬＮ（図３）において、各レンズ群は物体側から順に以下のように構成されている。第１レンズ群Ｇｒ１は、３枚の像側に凹の負メニスカスレンズＬ１１，Ｌ１２，Ｌ１３と（第３レンズＬ１３は両面非球面レンズ）、両凹の負レンズＬ１４，両凸の正レンズＬ１５及び両凹の負レンズＬ１６からなる接合レンズと、両凸の正レンズＬ１７及び物体側に凹の負メニスカスレンズＬ１８からなる接合レンズと、両凸の正レンズＬ１９と、で構成されている。第２レンズ群Ｇｒ２は、両凸の正レンズＬ２１と、両凹の負レンズＬ２２及び両凸の正レンズＬ２３からなる接合レンズと、物体側に凹の負メニスカスレンズＬ２４と、両凸の正レンズＬ２５と、像側に凹の負メニスカスレンズＬ２６及び両凸の正レンズＬ２７からなる接合レンズと、レンズＬ２８でコーティングされた物体側に凹の負メニスカスレンズＬ２９からなる複合型非球面レンズ（物体側面が非球面）と、で構成されている。
【００６５】
第４の実施の形態の撮像レンズＬＮ（図４）において、各レンズ群は物体側から順に以下のように構成されている。第１レンズ群Ｇｒ１は、４枚の像側に凹の負メニスカスレンズＬ１１，Ｌ１２，Ｌ１３，Ｌ１４と（第３レンズＬ１３は両面非球面レンズ）、両凸の正レンズＬ１５及び両凹の負レンズＬ１６からなる接合レンズと、像側に凹の負メニスカスレンズＬ１７及び両凸の正レンズＬ１８からなる接合レンズと、物体側に凸の正メニスカスレンズＬ１９と、で構成されている。第２レンズ群Ｇｒ２は、両凸の正レンズＬ２１と、両凹の負レンズＬ２２及び両凸の正レンズＬ２３からなる接合レンズと、両凹の負レンズＬ２４と、両凸の正レンズＬ２５と、像側に凹の負メニスカスレンズＬ２６及び両凸の正レンズＬ２７からなる接合レンズと（像側面が非球面）、で構成されている。
【実施例】
【００６６】
以下、本発明を実施した撮像レンズの構成等を、実施例のコンストラクションデータ等を挙げて更に具体的に説明する。ここで挙げる実施例１〜４（ＥＸ１〜４）は、前述した第１〜第４の実施の形態にそれぞれ対応する数値実施例であり、第１〜第４の実施の形態を表すレンズ構成図（図１〜図４）は、対応する実施例１〜４の光学構成をそれぞれ示している。
【００６７】
各実施例のコンストラクションデータでは、面データとして、左側の欄から順に、面番号ｉ（ＯＢ：物面，ＳＴ：絞り面，ＩＭ：像面），近軸における曲率半径ｒ（ｍｍ），軸上面間隔ｄ（ｍｍ），ｄ線（波長：５８７．５６ｎｍ）に関する屈折率Ｎｄ，及びｄ線に関するアッベ数νｄを示し、条件式（１０）及び（１２）の関連データとして部分分散比θｇｆをあわせて示す。なお、フォーカシングにより変化する可変の軸上面間隔ｄｉ（ｉ：面番号，ｍｍ）に関しては、第１フォーカスポジションＰＯＳ１〜第２フォーカスポジションＰＯＳ２のそれぞれについて示す。
【００６８】
面番号ｉに＊が付された面は非球面であり、その面形状は面頂点を原点とするローカルな直交座標系（ｘ，ｙ，ｚ）を用いた以下の式（ＡＳ）で定義される。非球面データとして、非球面係数等を示す。なお、各実施例の非球面データにおいて表記の無い項の係数は０であり、すべてのデータに関してＥ−ｎ＝×１０-nである。
ｚ＝（ｃ・ｈ2）／［１＋√｛１−（１＋Ｋ）・ｃ2・ｈ2｝］＋Σ（Ａｊ・ｈj）  …（ＡＳ）
ただし、
ｈ：ｚ軸（光軸ＡＸ）に対して垂直な方向の高さ（ｈ2＝ｘ2＋ｙ2）、
ｚ：高さｈの位置での光軸ＡＸ方向のサグ量（面頂点基準）、
ｃ：面頂点での曲率（曲率半径ｒの逆数）、
Ｋ：円錐定数、
Ａｊ：ｊ次の非球面係数、
である。
【００６９】
各種データとして、全系の焦点距離ｆ（ｍｍ），Ｆナンバー（Ｆ値）ＦＮＯ．，全画角２ω（°），最大像高ｙ’ｍａｘ（ｍｍ），レンズ全長ＴＬ（ｍｍ），バックフォーカスＢＦ（ｍｍ），第１レンズ群Ｇｒ１の焦点距離ｆ１（ｍｍ），第２レンズ群Ｇｒ２の焦点距離ｆ２（ｍｍ），及び焦点距離ｆに対するバックフォーカスＢＦの比ＢＦ／ｆを示す。ただし、バックフォーカスＢＦは、レンズ最終面から近軸像面ＩＭまでの距離を空気換算長により表記しており、レンズ全長ＴＬは、レンズ最前面からレンズ最終面までの距離にバックフォーカスＢＦを加えたものである。また、表１〜表３に各実施例の条件式対応値を示す。
【００７０】
図５〜図８は、実施例１〜実施例４（ＥＸ１〜ＥＸ４）にそれぞれ対応する縦収差図であり、（Ａ）〜（Ｃ）は第１フォーカスポジションＰＯＳ１、（Ｄ）〜（Ｆ）は第２フォーカスポジションＰＯＳ２における諸収差をそれぞれ示している。また、図５〜図８中、（Ａ）と（Ｄ）は球面収差図、（Ｂ）と（Ｅ）は非点収差図、（Ｃ）と（Ｆ）は歪曲収差図である。
【００７１】
球面収差図は、一点鎖線で示すＣ線（波長６５６．２８ｎｍ）に対する球面収差量、実線で示すｄ線（波長５８７．５６ｎｍ）に対する球面収差量、破線で示すｇ線（波長４３５．８４ｎｍ）に対する球面収差量を、それぞれ近軸像面からの光軸ＡＸ方向のズレ量（ｍｍ）で表しており、縦軸はＦ値を表している。非点収差図において、破線Ｍはｄ線に対するメリディオナル像面、実線Ｓはｄ線に対するサジタル像面を、それぞれ近軸像面からの光軸ＡＸ方向のズレ量（ｍｍ）で表しており、縦軸は像高Ｙ’（ｍｍ）を表している。歪曲収差図において、横軸はｄ線に対する歪曲（％）を表しており、縦軸は像高Ｙ’（ｍｍ）を表している。なお、像高Ｙ’は像面ＩＭにおける最大像高ｙ’ｍａｘ（撮像素子ＳＲの受光面ＳＳの対角長の半分）に相当する。
【００７２】
図９〜図１２は、実施例１〜実施例４（ＥＸ１〜ＥＸ４）にそれぞれ対応する横収差図である。図９〜図１２のそれぞれにおいて、（Ａ）〜（Ｃ）は第１フォーカスポジションＰＯＳ１における横収差（ｍｍ）、（Ｄ）〜（Ｆ）は第２フォーカスポジションＰＯＳ２における横収差（ｍｍ）を、各像高Ｙ’のメリディオナルコマ収差について示している。なお、図５〜図８と同様、一点鎖線はＣ線（波長６５６．２８ｎｍ）、実線はｄ線（波長５８７．５６ｎｍ）、破線はｇ線（波長４３５．８４ｎｍ）である。
【００７３】
実施例１
単位：mm
面データ
i            r(mm)      d(mm)          Nd       νd      θgf
0(OB)           ∞         ∞ 〜80.48
1           43.971       3.50     1.69680     55.46
2           30.197       7.13
3           35.045       3.17     1.69680     55.46
4           22.843       7.00
5*          34.175       3.50     1.58313     59.39
6*          13.901       9.41
7          160.346       2.00     1.49700     81.61
8           20.956       5.22
9           76.016       8.40     1.64769     33.84
10         -16.389       5.29     1.90366     31.32    0.5947(L16)
11          60.949       0.76
12          34.641       5.00     1.83481     42.72
13          19.438       6.73     1.65412     39.68    0.5737(L18)
14         -31.576       0.81
15          31.187       2.25     1.64769     33.84
16          74.264       6.81 〜3.14
17(ST)          ∞       2.72
18          49.359       3.23     1.59270     35.44    0.5926(L21)
19         -27.494       1.02
20         -23.268       1.20     1.77250     49.62
21          14.617       4.90     1.51742     52.15
22         -27.000       1.09
23         -25.008       1.00     1.91082     35.25
24        -188.788       0.37
25          35.526       5.51     1.49700     81.61    0.5388(L25)
26         -22.931       0.15
27         112.277       1.20     1.83481     42.72
28          18.718      11.00     1.49700     81.61    0.5388(L27)
29         -22.556       0.15
30*        -64.378       0.10     1.51380     52.97
31         -60.928       1.90     1.51680     64.20
32       -1000.000      56.38 〜60.01
33(IM)          ∞
【００７４】
非球面データ
第5面
K=  0.11933E+01
A4=  0.13754E-04
A6= -0.63757E-07
A8=  0.93030E-10
A10= -0.59263E-13
A12=  0.56844E-16
A14= -0.19087E-18
【００７５】
非球面データ
第6面
K= -0.42274E+00
A4= -0.11347E-05
A6= -0.68233E-07
A8= -0.69108E-09
A10=  0.16037E-11
A12=  0.20146E-14
A14= -0.16393E-16
【００７６】
非球面データ
第30面
K=  0.00000E+00
A4= -0.12685E-04
A6=  0.15258E-07
A8= -0.16714E-09
A10=  0.11054E-11
A12= -0.21127E-14
A14=  0.00000E+00
【００７７】
各種データ
f     =    19.37
FNO.  =     4.08
2ω   =    119.2
y'max =     33.0
TL    =   168.90
BF    =    56.38
f1    =    94.90
f2    =    68.69
BF/f  =     2.91
【００７８】
実施例２
単位：mm
面データ
i            r(mm)      d(mm)          Nd       νd      θgf
0(OB)           ∞         ∞ 〜81.14
1           44.039       3.50     1.69680     55.46
2           30.147       6.98
3           34.645       3.00     1.69680     55.46
4           22.911       6.89
5*          34.907       3.00     1.58313     59.39
6*          13.254      10.46
7          291.480       2.06     1.49700     81.61
8           20.926       4.63
9           51.380       9.61     1.64769     33.84
10         -15.152       4.78     1.90366     31.32    0.5947(L16)
11          47.368       0.31
12          30.048       5.01     1.83481     42.72
13          18.445       6.70     1.65412     39.68    0.5737(L18)
14         -26.845       1.65
15          27.939       2.28     1.64769     33.84
16          55.656       7.57 〜3.27
17(ST)          ∞       2.32
18          46.035       3.05     1.59270     35.44    0.5926(L21)
19         -31.562       1.08
20         -24.831       1.20     1.77250     49.62
21          15.632       4.52     1.51742     52.15
22         -28.255       1.00     1.91082     35.25
23         391.826       0.15
24          32.624       5.81     1.49700     81.61    0.5388(L25)
25         -24.284       0.15
26         157.642       1.20     1.83481     42.72
27          18.663      11.00     1.49700     81.61    0.5388(L27)
28         -24.809       0.15
29*        -33.893       0.19     1.51380     52.97
30         -31.586       1.65     1.58913     61.25
31         -38.587      56.31 〜60.25
32(IM)          ∞
【００７９】
非球面データ
第5面
K=  0.55703E+00
A4=  0.23459E-04
A6= -0.82331E-07
A8=  0.71471E-10
A10=  0.20585E-12
A12= -0.42826E-15
A14=  0.21015E-18
【００８０】
非球面データ
第6面
K= -0.46979E+00
A4=  0.88203E-05
A6= -0.23351E-07
A8= -0.13576E-08
A10=  0.31243E-11
A12=  0.58853E-14
A14= -0.32358E-16
【００８１】
非球面データ
第29面
K=  0.00000E+00
A4= -0.58992E-05
A6=  0.19161E-07
A8= -0.90573E-10
A10=  0.53393E-12
A12=  0.00000E+00
A14=  0.00000E+00
【００８２】
各種データ
f     =    19.23
FNO.  =     4.08
2ω   =    119.5
y'max =     33.0
TL    =   168.21
BF    =    56.31
f1    =    57.84
f2    =    74.45
BF/f  =     2.93
【００８３】
実施例３
単位：mm
面データ
i            r(mm)      d(mm)          Nd       νd      θgf
0(OB)           ∞         ∞ 〜83.37
1           44.292       3.50     1.69680     55.46
2           30.159       6.98
3           34.710       3.00     1.69680     55.46
4           22.975       7.40
5*          35.686       3.00     1.58313     59.39
6*          13.575      12.03
7         -100.403       4.00     1.49700     81.61
8           25.165       2.94
9           34.648       7.59     1.65412     39.68
10         -21.284       1.50     1.90366     31.32    0.5947(L16)
11         190.829       0.61
12          78.647       7.37     1.65412     39.68    0.5737(L17)
13         -17.151       6.96     1.83481     42.72
14         -56.337       0.43
15          48.376       2.63     1.64769     33.84
16         -87.813       6.16 〜2.43
17(ST)          ∞       1.64
18          44.382       3.17     1.59270     35.44    0.5926(L21)
19         -28.837       1.04
20         -23.821       3.06     1.77250     49.62
21          16.745       3.76     1.48749     70.44
22         -58.086       1.43
23         -30.226       1.00     1.91082     35.25
24        -205.633       0.15
25          32.696       5.07     1.49700     81.61    0.5388(L25)
26         -24.168       0.15
27         171.379       1.20     1.83481     42.72
28          19.704       8.91     1.49700     81.61    0.5388(L27)
29         -27.026       0.15
30*        -46.010       0.21     1.51380     52.97
31         -37.052       2.00     1.60311     60.69
32         -43.082      56.86 〜60.55
33(IM)          ∞
【００８４】
非球面データ
第5面
K=  0.12773E+01
A4=  0.17058E-04
A6= -0.85367E-07
A8=  0.14174E-09
A10= -0.50206E-13
A12= -0.16581E-15
A14=  0.13174E-18
【００８５】
非球面データ
第6面
K= -0.46937E+00
A4=  0.32703E-05
A6= -0.10231E-06
A8= -0.60565E-09
A10=  0.15108E-11
A12=  0.11798E-14
A14= -0.11978E-16
【００８６】
非球面データ
第30面
K=  0.00000E+00
A4= -0.10488E-04
A6=  0.88585E-08
A8= -0.34443E-09
A10=  0.25671E-11
A12= -0.91057E-14
A14=  0.00000E+00
【００８７】
各種データ
f     =    19.39
FNO.  =     4.08
2ω   =    119.1
y'max =     33.0
TL    =   165.90
BF    =    56.86
f1    =    75.81
f2    =    69.88
BF/f  =     2.93
【００８８】
実施例４
単位：mm
面データ
i            r(mm)      d(mm)          Nd       νd      θgf
0(OB)           ∞         ∞ 〜83.73
1           43.237       3.50     1.69680     55.46
2           30.378       7.24
3           35.192       3.00     1.69680     55.46
4           22.871       7.00
5*          32.846       3.50     1.58313     59.39
6*          12.126       9.76
7           85.084       2.00     1.49700     81.61
8           21.335       5.03
9           86.409       9.03     1.64769     33.84
10         -15.042       5.24     1.90366     31.32    0.5947(L16)
11          76.612       0.63
12          34.767       5.01     1.83481     42.72
13          19.351       5.47     1.65412     39.68    0.5737(L18)
14         -29.268       0.62
15          33.015       2.15     1.67270     32.17
16          70.917       6.61 〜2.43
17(ST)          ∞       2.95
18          37.943       2.68     1.59270     35.44    0.5926(L21)
19         -71.462       0.83
20         -85.758       1.20     1.80420     46.50
21          13.952       4.72     1.54814     45.82
22         -26.338       1.30
23         -21.503       1.00     1.91082     35.25
24         144.744       0.15
25          34.289       7.34     1.49700     81.61    0.5388(L25)
26         -24.388       0.15
27         147.205       1.20     1.83481     42.72
28          20.468      10.96     1.49700     81.61    0.5388(L27)
29*        -27.071      55.30 〜58.76
30(IM)          ∞
【００８９】
非球面データ
第5面
K=  0.83725E+00
A4=  0.16692E-04
A6= -0.84285E-07
A8=  0.15358E-09
A10= -0.96889E-13
A12= -0.11363E-15
A14=  0.11387E-18
【００９０】
非球面データ
第6面
K= -0.54417E+00
A4=  0.74309E-05
A6= -0.56085E-07
A8= -0.11825E-08
A10=  0.43282E-11
A12= -0.56620E-14
A14= -0.14987E-16
【００９１】
非球面データ
第29面
K=  0.38417E-01
A4=  0.60798E-05
A6= -0.33600E-07
A8=  0.38260E-09
A10= -0.24510E-11
A12=  0.59758E-14
A14= -0.36876E-17
【００９２】
各種データ
f     =    19.00
FNO.  =     4.08
2ω   =    120.1
y'max =     33.0
TL    =   165.57
BF    =    55.30
f1    =    81.25
f2    =    68.63
BF/f  =     2.91
【００９３】
【表１】
0006608738.tif 000002
【００９４】
【表２】
0006608738.tif 000003
【００９５】
【表３】
0006608738.tif 000004
【符号の説明】
【００９６】
ＤＵ    デジタル機器
ＬＵ    撮像光学装置
ＬＮ    撮像レンズ
Ｇｒ１    第１レンズ群
Ｇｒ２    第２レンズ群
Ｌ１１，Ｌ１２，Ｌ１３，Ｌ１４    レンズ（第１〜第４レンズ）
ＳＴ    絞り（開口絞り）
ＳＲ    撮像素子
ＳＳ    受光面（撮像面）
ＩＭ    像面（光学像）
ＡＸ    光軸
１    信号処理部
２    制御部
３    メモリー
４    操作部
５    表示部
【図１】
0006608738.tif 000005
【図２】
0006608738.tif 000006
【図３】
0006608738.tif 000007
【図４】
0006608738.tif 000008
【図５】
0006608738.tif 000009
【図６】
0006608738.tif 000010
【図７】
0006608738.tif 000011
【図８】
0006608738.tif 000012
【図９】
0006608738.tif 000013
【図１０】
0006608738.tif 000014
【図１１】
0006608738.tif 000015
【図１２】
0006608738.tif 000016
【図１３】
0006608738.tif 000017